(57)【特許請求の範囲】
【請求項１】
昇降装置における搬器への電力供給用・信号用ケーブルの案内装置であって、ケーブルのターン部分を受支するガイド部が、鉄塔に沿って昇降自在に移動できる案内手段を備えたフレームと、所要の間隔で半円状に配設される鼓形に形成された複数のガイドローラとで構成され、
前記フレームは、所要半径で描く半円形に形成される外周面開放の断面角溝形に形成され、このフレームの内部に前記ガイドローラが所定の間隔で配設され、前記案内手段としてフレーム背面側に昇降用のガイドローラを上下に配設されたローラ取付部材が左右線対称で一対付設され、前記昇降用のガイドローラを鉄塔側のガイドレールに当接して昇降案内される構成であることを特徴とするケーブルの案内装置。
【請求項２】
前記フレーム内に配列される複数のケーブルのガイドローラに対し、それらガイドローラの外側位置には、それぞれケーブルの飛び出し阻止部材が配設されている請求項１に記載のケーブルの案内装置。
【発明の詳細な説明】
【０００１】
【発明の属する技術分野】
本発明は、主として長尺の電力ケーブルや通信ケーブルを上下方向に円滑に移動させることができるケーブルの案内装置に関するものである。
【０００２】
【従来の技術】
例えば工事用エレベータのように仮設して使用される昇降装置にあっては、ロープ式に代わってラック・ピニオン駆動方式のものが多く使用されるようになっている。このような工事用エレベータでは、建物に支持されて立設される鉄塔に沿わせてラックおよびガイドレールが付設され、その鉄塔のガイドレールに案内されて、前記ラックと噛み合うピニオンを駆動する駆動機を搭載される搬器が、前記噛合い駆動によって昇降されるように構成されている。
【０００３】
このようなエレベータでは、その搬器を昇降駆動する駆動機とその駆動制御のために、外部から動力が供給され、また、駆動制御のための電気信号を各所に設けられた制御のための機器と接続するのに、電力ケーブルや信号ケーブルが搬器に繋がれている。通常、この電力ケーブルや信号ケーブルは、鉄塔に中間部を支持させてその支持部から搬器までの間をその搬器に追従させて昇降するようにされている。
【０００４】
そのために、搬器の揚程が高く（大きく）なると、搬器に繋がれているケーブルがフリーの状態では大きく振れることになるので、繋がれている搬器に振動などの伝播による影響を受けて乗り心地が悪くなる、ケーブルが鉄塔などに接触して外皮を損傷するなどの不具合が生じる。そのためにケーブルは、搬器の昇降に追従して支障を来さないように、鉄塔に沿って移動できるようにされた大きなホイールによってケーブルのターン部分を保持するものが用いられている。
【０００５】
【発明が解決しようとする課題】
しかしながら、前述のようなケーブルホイールを使用すると、そのホイールを支持して鉄塔に沿い昇降できるようにするための頑丈なフレームを要し、重量も大になるのでケーブルが長尺になると、ケーブル自身の重量にそのケーブルホイールと支持フレームの重量が加算され、長期の使用によってケーブルに大きな累積負荷が作用して傷めるという問題がある。
【０００６】
また、このケーブルホイールと支持フレームを使用する場合、その構造上、少なくともケーブルホイールの直径相当分の高さ寸法を必要とするので、搬器の最下降位置が高くなり、地下ピットを設けない限り下降最下位位置を高く設定しなければならず不都合であるという問題点がある。
【０００７】
本発明は、このような問題点を解決するためになされたもので、全体構造を小型軽量化できて合理的にケーブルを案内できるケーブルの案内装置を提供しようとするものである。
【０００８】
【課題を解決するための手段および作用・効果】
前記目的を達成するために構成される本発明によるケーブルの案内装置は、
昇降装置における搬器への電力供給用・信号用ケーブルの案内装置であって、ケーブルのターン部分を受支するガイド部が、鉄塔に沿って昇降自在に移動できる案内手段を備えたフレームと、所要の間隔で半円状に配設される鼓形に形成された複数のガイドローラとで構成され、
前記フレームは、所要半径で描く半円形に形成される外周面開放の断面角溝形に形成され、このフレームの内部に前記ガイドローラが所定の間隔で配設され、前記案内手段としてフレーム背面側に昇降用のガイドローラを上下に配設されたローラ取付部材が左右線対称で一対付設され、前記昇降用のガイドローラを鉄塔側のガイドレールに当接して昇降案内される構成であることを特徴とするものである（第１発明）。
【０００９】
本発明によれば、案内装置として全体構造を小型化でき、特に半円形状にすることで高さ寸法を低くできるので搬器の最下位着床位置を低くすることが可能になって、ピットを有しない設備において地上階での乗降設備を簡易化できるという利点がある。また、ケーブルのターン部分では実質反転する部分のみにガイドローラを配置して回転自在な複数の鼓形をしたガイドローラによってその凹部にケーブルを受入れ案内するようにされるので、例えば複列にケーブルを案内する場合でも常時整列されて案内でき、ケーブルに作用する反転時の抵抗が軽減されケーブルの外皮を傷めることなく案内できるという効果が得られる。しかも、フレームの剛性を高め、鉄塔側のガイドレールに沿って案内される案内手段をより簡単にして構造の小型化によって軽量化を図ることができ、ケーブルに対する負荷を低減できるという効果も併せ得られる。
【００１１】
前記発明において、前記フレーム内に配列される複数のケーブルのガイドローラに対し、それらガイドローラの外側位置には、それぞれケーブルの飛び出し阻止部材が配設されているのがよい（第２発明）。こうすると、ケーブルに作用する張力が弛められたとき、ケーブルがガイドローラの凹部から外れるのを防止できると同時に、角溝形に形成される半円形のフレームを解放側で補強して強度を高めることができ、変形するのを防止してケーブルのターンを円滑にする機能を維持できるという利点がある。
【００１３】
【発明の実施の形態】
次に、本発明にかかるケーブルの案内装置について、その一実施形態を図面を参照しつつ説明する。
【００１４】
図１は本発明にかかるケーブルの案内装置を備える工事用エレベータの一実施形態表わす立面図であって、（ａ）は側面図、（ｂ）は背面図である。図２にはケーブルの案内装置の一部を切欠いて表わす正面図が、図３には図２の平面図が、図４には図２の左側面図が、それぞれ示されている。
【００１５】
図１に示される工事用エレベータ１は、図示されない建物の躯体に複数のサポート金具２によって支持されて立設される鉄塔３の側面にガイドレール４およびラック５が沿設されており、そのガイドレール４に案内装架されて搬器６が昇降可能に設けられている。前記搬器６には、昇降駆動用のモータ７が搭載され、そのモータ７によって駆動される出力軸上の歯車を鉄塔３側に付設のラック５と噛み合わせて昇降するようにされている。また、搬器６を鉄塔３側の二本のガイドレール４，４（この実施形態の鉄塔では、縦部材がガイドレールを兼ねている）に案内支持させるために、搬器フレーム６ａの両側で上下適所に付設されるブラケット６ｂに支持されて設けられるガイドローラを、前記ガイドレール４，４にそれぞれ当接係合させて昇降可能にされている。
【００１６】
このように構成される搬器６には、外部から昇降駆動用モータ７への動力ケーブル８（キャプタイヤケーブル）および制御用の信号ケーブル８ａ（以下、単にケーブル８という）が接続されている。これらケーブル８は、搬器６の昇降に追従できるようにするために、下層位置に設けられた電源受入れボックス９から、鉄塔３の中間位置に取付けられた彎曲形のケーブル支持金具を介して垂下させ、ケーブル８をターンさせて搬器６の制御盤に接続され、動力ケーブルのみ駆動用のモータ７に接続されている。なお、前記ケーブル支持金具は、円弧状の樋形をして、その上端部にケーブル８を挟んで固定する固定具が付され、搬器６の昇降面から離れた位置で鉄塔３の一部に固定されるようになっている。
【００１７】
前記ケーブル８のターン部には、ケーブル８を所要半径で保持して案内するケーブル案内装置１０が搬器６の昇降に追従して鉄塔３に沿い昇降できるように設けられている。
【００１８】
前記ケーブル案内装置１０は、前記ケーブル８を円滑に彎曲反転させるに適した半径寸法Ｒで案内できる複数のガイドローラ１３と、その複数のガイドローラ１３を支持するローラ支持フレーム１１およびそのローラ支持フレーム１１を鉄塔側のガイドレール４ａ，４ａに沿って所定の姿勢を保って昇降できるようにする昇降案内手段１５とで構成されている。
【００１９】
前記ローラ支持フレーム１１は、Ｕ字状の二枚の支持プレート１１ａ，１１ａを所要の間隔で平行に配置して、その二枚の支持プレート１１ａ，１１ａの内円周部側を円弧状に形成される板材１１ｂで一体に繋いで内周側を覆うように形成されている。ガイドローラ１３は、周面を円弧状の凹曲面に形成された鼓形をしてなるローラで、凹曲周面にてケーブル８を外接保持できるように複数個半円状に並べてほぼ等分ピッチで前記ローラ支持フレーム１１の内部に配置され、それらガイドローラ１３の各支持軸両端部を支持プレートに取付けられている。なお、本実施の形態におけるガイドローラ１３は、動力ケーブル用のものと信号ケーブル用のものとを並列に配されている。ただし、説明上は動力ケーブル用のものについて説明している。
【００２０】
また、前記ローラ支持フレーム１１には、円弧状に配設される各ガイドローラ１３の外側位置にそれぞれケーブル８の飛び出し阻止部材１４として丸棒材が両端を支持プレート１１ａ，１１ａに締結固着して設けられている。さらに、前記ローラ支持フレーム１１の背面側には、装備される鉄塔３のケーブル案内装置用ガイドレール４ａ，４ａの間隔に合わせて、上下方向に平行する二本の支持部材１６，１６と、それら支持部材１６に取付けられて案内する上下のガイドローラ１７，１７とで構成される昇降案内手段１５が付設されている。
【００２１】
前記昇降案内手段１５は、図２〜図４で示されるように、所要長さの支持部材１６の上下両端部にて前記ローラ支持フレーム１１と反対の側に鉄塔のガイドレール４ａに係合するガイドローラ１７が軸支持されて取付けられ、左右対称に配置されてローラ支持フレーム１１の背面に取付片１８によって着脱可能に設けられている。
【００２２】
このように構成される本実施の形態のケーブル案内装置１０は、前述のように搬器６への動力ケーブル８を、搬器６の揚程の約半分の高さ位置で鉄塔３にケーブル支持金具２０によって中間部を支持させて、一端を電源受入れボックス９内にて繋ぎ、他端部を搬器６の制御盤（図示せず）と接続して運転可能な状態にされ、前記ケーブル支持金具２０によって支持されて垂下するケーブル８のターン部を、複数のガイドローラ１３によって適正な彎曲状態に維持させて案内保持させる。
【００２３】
ケーブル案内装置１０の複数のガイドローラ１３によって彎曲部を保持されるケーブル８は、搬器６が駆動用モータ７の作動によって上昇または下降をすると、搬器６の移動に追従してケーブル８が移動し、それに伴いケーブル８のターン位置が上下いずれかに移動することになる。このケーブル８のターン部にケーブル案内装置１０が位置して、ローラ支持フレーム１１に配設される複数のガイドローラ１３によってターン部の円弧状態を維持されながら、そのローラ支持フレーム１１が昇降案内手段１５によって鉄塔３のガイドレール４ａに案内されて昇降させる。
【００２４】
したがって、このケーブル案内装置１０は、組込まれている複数のガイドローラ１３が案内保持するケーブル８のターン部における彎曲状態を、このケーブル案内装置１０の自重量によって適度な張力を与えながら一定に保って順次移動させることができ、ケーブル８の自由長が大きくなっても振れの発生を抑えて円滑な移動が行え、ケーブルに損傷を与えることがなく長期使用ができるのである。
【００２５】
なお、本発明のケーブルの案内装置は、前述の実施形態に限定されるものではなく、本発明の要旨を逸脱しない範囲内において種々変更を加え得ることができる。
【図面の簡単な説明】
【図１】図１は、本発明にかかるケーブルの案内装置を備える工事用エレベータの一実施形態表わす立面図であって、（ａ）は側面図、（ｂ）は背面図である。
【図２】図２は、ケーブルの案内装置の一部を切欠いて表わす正面図である。
【図３】図３は、図２の平面図である。
【図４】図４は、図２の左側面図である。
【符号の説明】
１                    工事用エレベータ
３                    鉄塔
４                    ガイドレール
４ａ                  ケーブル案内装置用のガイドレール
６                    搬器
７                    昇降駆動用のモータ
８                    ケーブル
１０                  ケーブル案内装置
１１                  ローラ支持フレーム
１３                  ケーブルのガイドローラ
１４                  ケーブルの飛び出し阻止部材
１５                  昇降案内手段
１６                  支持部材
１７                  ガイドローラ
１８                  取付片
【図１】
0004120861.tif 000002
【図２】
0004120861.tif 000003
【図３】
0004120861.tif 000004
【図４】
0004120861.tif 000005